(57)【要約】【課題】  チャネルのアナログブロックや、シリアルＡＴＡの低電圧ブロック等、磁気ディスク装置内部の低電圧動作ブロックに対する電源の生成効率を向上できる磁気ディスク装置を提供する。【解決手段】  磁気記録媒体１、磁気ヘッド２、磁気ヘッド２を磁気記録媒体１に対して相対移動させる位置制御部３と、磁気記録媒体１に記録するべき情報を変調した信号を生成して出力し、及び／又は前記磁気ヘッドから入力される信号を復調するチャネル部、電源電圧を変圧して第１の所定電圧とし、チャネル部に対して供給する第１電源供給部、及び、スイッチングレギュレータを用いて電源電圧を変圧して第２の所定電圧とし、チャネル部に対して供給する第２電源供給部、を備える磁気ディスク装置である。【選択図】        図１
2007004952.tif 000002
【特許請求の範囲】
【請求項１】
磁気記録媒体と、
前記磁気記録媒体との間で、情報の書き込みと読み出しとを行う磁気ヘッドと、
前記磁気ヘッドを、前記磁気記録媒体に対して相対移動させる位置制御部と、
前記磁気記録媒体に記録するべき情報を変調した信号を生成して出力し、及び／又は前記磁気ヘッドから入力される信号を復調するチャネル部と、
リニアレギュレータを用いて電源電圧を第１の所定電圧に変圧し、前記チャネル部に対して供給する第１電源供給部と、
スイッチングレギュレータを用いて上記電源電圧を上記第1の所定電圧より低い第２の所定電圧に変圧し、前記チャネル部に対して供給する第２電源供給部と、
を備えることを特徴とする磁気ディスク装置。
【請求項２】
請求項１に記載の磁気ディスク装置であって、
前記第２電源供給部のうち、少なくともスイッチングレギュレータの回路部分を、アナログ集積回路内に内蔵したことを特徴とする磁気ディスク装置。
【請求項３】
請求項１或いは請求項２に記載の磁気ディスク装置であって、前記第２電源供給部に上記スイッチングレギュレータにおいて、記録媒体に対する情報の書き込み又は読み出しが行われていない間はスイッチング周波数を情報の書き込み又は読み出しが行われている間のスイッチング周波数よりも低くしていることを特徴とする磁気ディスク装置。
【発明の詳細な説明】
【技術分野】
【０００１】
本発明は、ハードディスク等の磁気ディスク装置に関する。
【背景技術】
【０００２】
近年では、電子機器の消費電力を低減することが多くの場所で求められている。これに伴い、電子機器内部で利用されるハードディスク等の磁気ディスク装置にも消費電力を低減することが求められている。例えばノートブック型のパーソナルコンピュータにおいては、使用時間をなるべく長くするために、内蔵するハードディスクの消費電力を低減するべきことが要求されている。
【０００３】
一方で、ハードディスクは、その高容量化・高速化も要求されており、読み出しや書き込みのデータレートは年々上昇している。このため、データの読み出しや書き込みに関係する回路、例えばチャネルのアナログブロックや、シリアルＡＴＡの低電圧ブロックの消費電力量は増大しており、消費電力の低減に反する結果となっている。
【０００４】
そこで、回路の動作電圧を低減して、例えば１．５Ｖで動作するようにし、消費電力の低減を図ることも行われている。しかしながら、ホスト側である電子機器本体側からは通常、５Ｖの電源が供給されているので、１．５Ｖの電源電圧を得るために次のような回路を用いているのが現状である。すなわち、アナログＩＣ内に第１のリニアレギュレータを備え、この第１のリニアレギュレータで５Ｖの電源を変圧して３．３Ｖの電圧信号を生成する。また、チャネルＩＣもまた第２のリニアレギュレータを備える。そしてチャネルＩＣは、第１のリニアレギュレータで得られた３．３Ｖの電圧信号を受けて、第２のリニアレギュレータを用いて１．５Ｖの電源電圧を得ている。
【発明の開示】
【発明が解決しようとする課題】
【０００５】
しかしながら、上記従来の電源電圧の生成方法では、２段のリニアレギュレータを用いて１．５Ｖの電源電圧を得るようにしているが、既に述べたように、ここで生成される１．５Ｖの電源の供給先での負荷電流は比較的大きく、リニアレギュレータでは動作効率が低い。
【０００６】
本発明は上記実情に鑑みて為されたもので、チャネルのアナログブロックや、シリアルＡＴＡの低電圧ブロック等、磁気ディスク装置内部の低電圧動作ブロックに対する電源の生成効率を向上できる磁気ディスク装置を提供することを、その目的の一つとする。
【課題を解決するための手段】
【０００７】
上記従来例の問題点を解決するための本発明は、磁気ディスク装置であって、磁気記録媒体と、前記磁気記録媒体との間で、情報の書き込みと読み出しとを行う磁気ヘッドと、前記磁気ヘッドを、前記磁気記録媒体に対して相対移動させる位置制御部と、前記磁気記録媒体に記録するべき情報を変調した信号を生成して出力し、及び／又は前記磁気ヘッドから入力される信号を復調するチャネル部と、電源電圧を変圧して第１の所定電圧とし、前記チャネル部に対して供給する第１電源供給部と、スイッチングレギュレータを用いて電源電圧を変圧して第２の所定電圧とし、前記チャネル部に対して供給する第２電源供給部と、を備える。
【発明を実施するための最良の形態】
【０００８】
本発明の実施の形態について図面を参照しながら説明する。本発明の実施の形態に係る磁気ディスク装置は、図１に示すように、磁気記録媒体１と、磁気ヘッド部２と、位置制御部３と、ドライバ回路部４と、統合集積回路部５と、ＲＯＭ部６と、ＲＡＭ部７と、低電圧電源供給部８とを含んで構成されている。ここで、ドライバ回路部４、統合集積回路部５、ＲＯＭ部６、ＲＡＭ部７、及び低電圧電源供給部８は、一つのプリント基板上に配置される。
【０００９】
磁気記録媒体１は、円盤状をなし、スピンドル・モータ（ＳＰＭ）によって回転駆動される。磁気ヘッド部２は、磁気記録媒体１に対して情報の書き込みを行う。また、この磁気ヘッド部２は、磁気記録媒体１に記録された情報の読み出しを行う。この磁気ヘッド部２は、磁気ヘッドを支持する支持部、磁気ヘッドとの間で入出力する信号を増幅するヘッドアンプ等を含む。
【００１０】
位置制御部３は、磁気ヘッド部２を磁気記録媒体１に対して相対移動させるボイス・コイル・モータ（ＶＣＭ）を含んで構成されている。
【００１１】
ドライバ回路部４は、ＳＰＭや、ＶＣＭ等のモータを駆動するモータドライバ、衝撃センサ回路等を含んだアナログ集積回路である。このドライバ回路部４は、また、電源電圧を供給する第１電源供給部４１を内蔵している。ここで第１電源供給部４１は、リニアレギュレータを用いた回路であり、ホスト側から供給される５Ｖの電源電圧を変圧して第１の所定電圧としての３．３Ｖの電源電圧を出力する。
【００１２】
統合集積回路部５は、いわゆるシステム・オン・チップ（ＳｏＣ）であり、チャネル回路部５１と、マイクロコンピュータ部５２と、コントローラ部５３とを複合した集積回路である。この統合集積回路部５は、ディジタルＩＣと同様のプロセスで製造される集積回路であり、ドライバ回路部４と低電圧電源供給部８とが生成する第１、第２の所定電圧の各電源電圧によって駆動される。
【００１３】
ここでチャネル回路部５１は、磁気記録媒体１に書き込む情報を符号化して磁気ヘッド部２のヘッドアンプに出力し、また、磁気ヘッド部２が磁気記録媒体１から読み出して得られた信号から情報を復号して出力する。さらに、このチャネル回路部５１は、シリアル・インタフェース（シリアルＡＴＡ等）回路を備えており、コントローラ部５３との間で、磁気記録媒体１に書き込むべき情報や磁気記録媒体１から読み出される情報の送受信を行っている。
【００１４】
マイクロコンピュータ部５２は、内蔵するメモリに格納されたプログラムに従って動作するプログラム制御デバイスである。このマイクロコンピュータ部５２は、磁気ヘッド部２の位置制御や、各集積回路の初期化などの処理を実行している。
【００１５】
コントローラ部５３は、ハードディスクコントローラであり、ホストとの間で、磁気記録媒体１に書込むべき情報や、磁気記録媒体１から読み出された情報の送受信を行う。例えばこのコントローラ部５３は、磁気記録媒体１に書込むべき情報としてホストから入力される情報にエラー訂正符号を付加して、チャネル回路部５１に出力する。また、磁気記録媒体１から読み出した情報の入力を、チャネル回路部５１から受けてエラー訂正処理を行い、ホストへ出力する。
【００１６】
ＲＯＭ（Read Only Memory）部６は、ＥＥＰＲＯＭ（Electrical Erasable Programmable Read Only Memory）等を含んで構成される。このＲＯＭ部６は、統合集積回路部５に含まれるマイクロコンピュータ部５２によって実行されるプログラムや、当該プログラムの実行時に利用されるパラメータ等を保持する。ＲＡＭ（Random Access Memory）部７は、磁気記録媒体１に書込むべき情報や、磁気記録媒体１から読み出した情報等を保持する。
【００１７】
低電圧電源供給部８は、スイッチングレギュレータを用いた回路であり、ホスト側から供給される５Ｖの電源電圧から直接、第２の所定電圧としての１．５Ｖの電源電圧を生成して出力する。この低電圧電源供給部８は、スイッチングレギュレータを含んでなり、スイッチングレギュレータは、スイッチングコントローラＳＷＲと、その出力の電源電圧の変動（リップル）を抑制する外部回路ＥＣとを含んで構成される。本実施の形態では、スイッチングコントローラＳＷＲは、集積回路外にあってもよいし、図２に示すように、アナログ集積回路であるドライバ回路部４に内蔵されてもよい。
【００１８】
図３は、集積回路外に低電圧電源供給部８を配置する場合のプリント基板上の配置例を示す説明図である。この図３に示す例では、プリント基板Ｐ上の正方形領域（Ｒ）に、左上から時計周りにＲＯＭ部６、統合集積回路部５、ＲＡＭ部７、ドライバ回路部４、及びスイッチングレギュレータを含む低電圧電源供給部８がそれぞれ配置されている。また、図４は、ドライバ回路部４の集積回路内に低電圧電源供給部８のスイッチングコントローラＳＷＲの回路部分を内蔵した場合のプリント基板上の配置例を示す説明図である。この図４に示す例では、プリント基板Ｐ上の正方形領域（Ｒ）に、左上から時計周りにＲＯＭ部６、統合集積回路部５、ＲＡＭ部７、低電圧電源供給部８の外部回路ＥＣ、及びドライバ回路部４がそれぞれ配置されている。スイッチングコントローラＳＷＲをドライバ回路部４に内蔵することによって、低電圧電源供給部８の実装に必要なプリント基板Ｐ上の面積を図４に示すように低減でき、プリント基板Ｐ上の回路配置が容易になる。この結果、プリント基板Ｐのサイズを小型化できるので、磁気ディスク装置の小型化を図ることもできる。
【００１９】
また、本実施の形態の低電圧電源供給部８は、統合集積回路部５のコントローラ部５３から、磁気記録媒体１に対する情報の書き込みや読み出しが行われているか否かに関する情報の入力を受け入れて、スイッチングコントローラＳＷＲのスイッチング周波数を変更してもよい。すなわち、磁気記録媒体１に対する情報の書き込みや読み出しが行われていない間のスイッチング周波数を、情報の書き込みや読み出しが行われている間のスイッチング周波数よりも低くして効率を維持する。この場合は、情報の書き込み／読み出しが行われていないので、リップルが多少大きくても問題にならない。
【００２０】
さらに外部回路ＥＣは、高負荷時、つまり磁気記録媒体１に対する情報の書き込み／読み出しが行われている間でのリップルを低減するように最適化しておく。
【００２１】
このように本実施の形態によれば、チャネルのアナログブロックや、シリアルＡＴＡの低電圧ブロック等、磁気ディスク装置内部の低電圧動作ブロックに対する電源の生成効率を向上できる。
【図面の簡単な説明】
【００２２】
【図１】本発明の実施の形態に係るディスク装置の一例を表す構成ブロック図である。
【図２】本発明の実施の形態に係るディスク装置の別の例を表す構成ブロック図である。
【図３】本発明の実施の形態に係るディスク装置に含められるプリント基板のレイアウト例を表す説明図である。
【図４】本発明の実施の形態に係るディスク装置に含められるプリント基板の別のレイアウト例を表す説明図である。
【符号の説明】
【００２３】
１  磁気記録媒体、２  磁気ヘッド部、３  位置制御部、４  ドライバ回路部、５  統合集積回路部、６  ＲＯＭ部、７  ＲＡＭ部、８  低電圧電源供給部、４１  第１電源供給部。
【図１】
2007004952.tif 000003
【図２】
2007004952.tif 000004
【図３】
2007004952.tif 000005
【図４】
2007004952.tif 000006